(57)【特許請求の範囲】
【請求項１】
複数の被験者の生体情報を測定し被験者ごとに記憶可能な生体情報測定装置であって、
被験者を指定するための指定手段と、
前記被験者の生体情報を測定するための測定手段と、
前記被験者と前記測定手段によって得られた測定値とを関連付けて記憶するための記憶手段と、
前記被験者のうちの一人と指定されたユーザから前記記憶手段に記憶された測定値の送信の指示を受け付けるための受付手段であって、前記ユーザを含む前記記憶手段に記憶されているすべての前記複数の被験者についての測定値を一括して送信するか、前記複数の被験者のうちの前記ユーザ以外の被験者のそれぞれについて当該被験者についての測定値を一括して送信するか否かを指定するか、を選択するための選択手段、または、前記ユーザを含む前記記憶手段に記憶されているすべての前記複数の被験者についての測定値を一括して送信するか、被験者ごとの測定値を送信するかを選択するための選択手段を含む受付手段と、
前記記憶手段に記憶された測定値を他の装置に送信するための通信手段と、
前記複数の被験者のうちの一人と指定されたユーザから前記受付手段で自身に関連付けられた測定値の送信の指示を受け付けると、前記ユーザの測定値と、更に前記記憶手段に記憶されている前記複数の被験者のうちの前記ユーザ以外の被験者の測定値とを、それぞれ、関連付けられた被験者に対応した情報および当該生体情報測定装置に固有の情報と関連付けて前記通信手段で前記他の装置に一括して送信する処理を行なうための制御手段とを備える、生体情報測定装置。
【請求項２】
前記制御手段は、前記受付手段で前記ユーザから前記指示を受け付けると前記記憶手段に記憶されている前記ユーザおよび前記ユーザ以外の被験者のすべての測定値を前記他の装置に送信させ、前記測定値を受信した前記他の装置からの通知に応じて前記記憶手段から前記通信手段で送信された測定値を削除する、請求項１に記載の生体情報測定装置。
【請求項３】
前記記憶手段には、前記測定値が前記通信手段ですでに送信されたか否かを区分する情報とさらに関連付けて記憶され、
前記制御手段は、前記受付手段で前記ユーザから前記指示を受け付けると前記記憶手段に記憶されている前記ユーザおよび前記ユーザ以外の被験者の測定値のうちの前記通信手段ですでに送信されていないと区分されている測定値を前記他の装置に送信する、請求項１に記載の生体情報測定装置。
【請求項４】
前記制御手段は、前記測定値を受信した前記他の装置からの通知に応じて前記記憶手段において前記測定値に関連付けられている前記すでに送信されたか否かを区分する情報を更新する、請求項３に記載の生体情報測定装置。
【請求項５】
生体情報測定装置と生体情報管理装置とを含んだ生体情報管理システムであって、
前記生体情報測定装置は複数の被験者の生体情報を測定し被験者ごとに記憶可能であって、
被験者を指定するための指定手段と、
前記被験者の生体情報を測定するための測定手段と、
前記被験者と前記測定手段によって得られた測定値とを関連付けて記憶するための記憶手段と、
前記被験者のうちの一人と指定されたユーザから前記記憶手段に記憶された測定値の送信の指示を受け付けるための受付手段であって、前記ユーザを含む前記記憶手段に記憶されているすべての前記複数の被験者についての測定値を一括して送信するか、前記複数の被験者のうちの前記ユーザ以外の被験者のそれぞれについて当該被験者についての測定値を一括して送信するか否かを指定するか、を選択するための選択手段、または、前記ユーザを含む前記記憶手段に記憶されているすべての前記複数の被験者についての測定値を一括して送信するか、被験者ごとの測定値を送信するかを選択するための選択手段を含む受付け手段と、
前記記憶手段に記憶された測定値を前記生体情報管理装置に送信するための通信手段と、
前記受付手段で前記複数の被験者のうちの一人と指定されたユーザから自身に関連付けられた測定値の送信の指示を受け付けると、前記ユーザの測定値と、更に前記記憶手段に記憶されている前記複数の被験者のうちの前記ユーザ以外の被験者の測定値とを、それぞれ、関連付けられた被験者に対応した情報および当該生体情報測定装置に固有の情報と関連付けて前記通信手段で前記生体情報管理装置に一括して送信する処理を行なうための制御手段とを備え、
前記生体情報管理装置は前記生体情報測定装置で測定された生体情報を管理するための生体情報管理装置であって、
前記生体情報測定装置から、前記被験者に対応した情報としての前記生体情報測定装置における当該測定値の記憶領域を指定する情報および前記生体情報測定装置の固有情報と関連付けられた測定値を受信するための通信手段と、
前記記憶領域を指定する情報および前記生体情報測定装置の固有情報の組み合わせと、記憶装置の記憶領域との対応関係を記憶するための記憶手段と、
前記記憶領域を指定する情報および前記生体情報測定装置の固有情報の組み合わせから特定された前記記憶装置の領域に前記測定値を格納するための制御手段とを備え、
前記生体情報管理装置の制御手段は、前記生体情報測定装置から、異なる前記記憶領域を指定する情報および前記生体情報測定装置の固有情報の組み合わせに関連付けられた複数の測定値を受信したときに、前記複数の測定値のそれぞれを、前記組み合わせで特定された前記記憶装置の領域に格納する、生体情報管理システム。
【請求項６】
生体情報測定装置での測定値を記憶装置に記憶させて管理する方法であって、
前記生体情報測定装置は複数の被験者の生体情報を測定し被験者ごとに記憶可能であって、
前記生体情報測定装置において、記憶された測定値を送信するための指示を前記被験者のうちの一人と指定されたユーザから受け付けるステップであって、前記ユーザを含む前記記憶装置に記憶されているすべての前記複数の被験者についての測定値を一括して送信するか、前記複数の被験者のうちの前記ユーザ以外の被験者のそれぞれについて当該被験者についての測定値を一括して送信するか否かを指定するか、を選択するステップ、または、前記ユーザを含む前記記憶装置に記憶されているすべての前記複数の被験者についての測定値を一括して送信するか、被験者ごとの測定値の送信するかを選択するステップを含む受け付けるステップと、
前記生体情報測定装置に記憶されている複数の被験者のうちの一人と指定されたユーザから自身に関連付けられた測定値の送信の指示を受け付けると、前記ユーザの測定値と、更に前記生体情報測定装置に記憶されている前記複数の被験者のうちの前記ユーザ以外の被験者の測定値とを、それぞれ、関連付けられた被験者に対応した前記生体情報測定装置における記憶領域を指定する情報および当該生体情報測定装置に固有の情報と関連付けて、一括して送信するステップと、
前記生体情報測定装置から送信された、異なる前記記憶領域を指定する情報および前記生体情報測定装置の固有情報の組み合わせに関連付けられた複数の測定値のそれぞれについて、前記組み合わせから、前記記憶装置の領域を特定するステップと、
前記複数の測定値のそれぞれを前記組み合わせで特定された前記記憶装置の領域に格納するステップとを備える、生体情報管理方法。
【発明の詳細な説明】
【技術分野】
【０００１】
この発明は生体情報測定装置、生体情報管理装置、生体情報管理システム、生体情報管理プログラム、および生体情報管理方法に関し、特に、複数の被験者の生体情報を測定し、管理する生体情報測定装置、生体情報管理装置、生体情報管理システム、生体情報管理プログラム、および生体情報管理方法に関する。
【背景技術】
【０００２】
体重体組成計や血圧計などの健康機器の中には、測定値を記憶し、記憶された測定値を所定の操作によって外部に転送可能なものがある。この場合、たとえば特開２００７−３１８２８９号公報（以下、特許文献１）に開示された無線端末の端末ＩＤと共にデータをサーバに送信する技術を応用して、健康機器の固有情報（機器ＩＤ）を測定値と共にサーバに送信することで、サーバ側で機器ＩＤに基づいて測定値を蓄積管理することが可能になる。
【先行技術文献】
【特許文献】
【０００３】
【特許文献１】特開２００７−３１８２８９号公報
【発明の概要】
【発明が解決しようとする課題】
【０００４】
ところで健康機器では、たとえば家庭に設置されて複数人の家族がそれぞれ測定する、などの複数の被験者が用いる場合が想定される。その場合、健康機器には、複数の被験者のそれぞれの測定値が分別されて記憶される。
【０００５】
このような健康機器において測定値をサーバに送信してデータ管理を行なわせる場合、被験者を特定したデータを送信する必要がある。そのため、データ送信時に被験者を特定するための操作（たとえばユーザ番号を選択する操作等）を誤ると、サーバ側で適切に分別されて記憶されなくなるという問題がある。
【０００６】
また、被験者ごとにデータ送信するための操作が必要となり、データ送信のための操作が煩雑になるという問題もある。
【０００７】
また、被験者ごとにデータ送信するための操作が必要となり、全員分のデータを送信するための操作が煩雑になるという問題や、複数の被験者であるたとえば家族の中には、コンピュータや携帯電話の操作に不慣れな者もいる可能性もあり、その者がデータ送信のための操作を行なうことは非常に難しいという問題もある。
【０００８】
また、特許文献１に開示された技術を健康機器に応用する場合は１台の健康機器で一人の被験者の測定をしていることが前提となっており、１台の健康機器を複数の被験者が用いる場合にはデータのそれぞれに被験者の識別ができないため、サーバ側で適切に分別されて記憶されなくなるという問題がある。
【０００９】
本発明はこのような問題に鑑みてなされたものであって、複数の被験者の生体情報の測定・管理を適切に行なうことのできる生体情報測定装置、生体情報管理装置、生体情報管理システム、生体情報管理プログラム、および生体情報管理方法を提供することを目的としている。
【課題を解決するための手段】
【００１０】
上記目的を達成するために、本発明のある局面に従うと、生体情報測定装置は複数の被験者の生体情報を測定し被験者ごとに記憶可能な装置であって、被験者を指定するための指定手段と、被験者の生体情報を測定するための測定手段と、被験者と測定手段によって得られた測定値とを関連付けて記憶するための記憶手段と、記憶手段に記憶された測定値の送信の指示を受け付けるための受付手段と、記憶手段に記憶された測定値を他の装置に送信するための通信手段と、記憶されている複数の被験者のうちの一人と指定されたユーザから受付手段で自身に関連付けられた測定値の送信の指示を受け付けると、当該ユーザの測定値と、記憶手段に記憶されている複数の被験者のうちの当該ユーザ以外の被験者の測定値とを、それぞれ、関連付けられた被験者に対応した情報および当該生体情報測定装置に固有の情報と関連付けて通信手段で他の装置に一括して送信する処理を行なうための制御手段とを備える。
【００１１】
好ましくは、制御手段は、受付手段で上記ユーザから指示を受け付けると記憶手段に記憶されている当該ユーザおよび当該ユーザ以外の被験者のすべての測定値を他の装置に送信させ、測定値を受信した他の装置からの通知に応じて記憶手段から通信手段で送信された測定値を削除する。
【００１２】
好ましくは、記憶手段には、測定値が通信手段ですでに送信されたか否かを区分する情報とさらに関連付けて記憶され、制御手段は、受付手段で上記ユーザから指示を受け付けると記憶手段に記憶されている当該ユーザおよび当該ユーザ以外の被験者の測定値のうちの通信手段ですでに送信されていないと区分されている測定値を他の装置に送信する。
【００１３】
より好ましくは、制御手段は、測定値を受信した他の装置からの通知に応じて記憶手段において測定値に関連付けられているすでに送信されたか否かを区分する情報を更新する。
【００１４】
好ましくは、受付手段は、上記ユーザを含む記憶手段に記憶されているすべての複数の被験者についての測定値を一括して送信するか、記憶されている複数の被験者のうちの上記ユーザ以外の被験者のそれぞれについて当該被験者についての測定値を一括して送信するか否かを指定するか、を選択するための選択手段を含む。
【００１５】
本発明の他の局面に従うと、生体情報管理装置は生体情報測定装置で測定された生体情報を管理するための装置であって、生体情報測定装置から、生体情報測定装置における当該測定値の記憶領域を指定する情報および生体情報測定装置の固有情報と関連付けられた測定値を受信するための通信手段と、生体情報測定装置における記憶領域を指定する情報および生体情報測定装置の固有情報の組み合わせと記憶装置の領域との対応関係を記憶するための記憶手段と、記憶領域を指定する情報および生体情報測定装置の固有情報の組み合わせから特定された記憶装置の領域に測定値を格納するための制御手段とを備え、制御手段は、異なる記憶領域を指定する情報および生体情報測定装置の固有情報の組み合わせに関連付けられた複数の測定値を受信したときに、受信した複数の測定値のそれぞれを、その組み合わせで特定された記憶装置の領域に格納する。
【００１６】
好ましくは、生体情報管理装置は、制御手段において測定値が格納されるとその旨を通知するための第１の通知手段をさらに備える。
【００１７】
好ましくは、生体情報管理装置は、制御手段において測定値に関連付けられた上記組み合わせから記憶装置の領域が特定されない場合にその旨を通知するための第２の通知手段をさらに備える。
【００１８】
好ましくは、生体情報管理装置は、記憶手段に記憶される生体情報測定装置における記憶領域を指定する情報および生体情報測定装置の固有情報の組み合わせと記憶装置の領域との対応関係を更新するための更新手段をさらに備える。
【００１９】
好ましくは、記憶手段は、被験者と記憶装置の領域との対応関係をさらに記憶し、生体情報管理装置は被験者の測定値の閲覧要求を受け付けるための受付手段をさらに備え、制御手段は、要求された被験者の測定値をその被験者に対応した記憶装置の領域から読み出して送信するための処理をさらに実行する。
【００２０】
より好ましくは、被験者ごとの当該被験者の測定値の閲覧を許可するユーザを特定する情報を記憶し、制御手段は、閲覧要求に含まれるユーザを特定する情報に基づいて、当該ユーザが被験者の測定値の閲覧が許可されている場合にその被験者の測定値を送信する。
【００２１】
好ましくは、記憶手段は、被験者と記憶装置の領域との対応関係をさらに記憶し、生体情報管理装置は、制御手段において、記憶されている最新の測定値の測定日時から現時点までの経過時間が予め規定されたしきい値よりも長い被験者が特定されると特定された被験者に関連付けられた通知先に対してその旨を通知するための第３の通知手段をさらに備える。
【００２２】
本発明のさらに他の局面に従うと、生体情報管理システムは生体情報測定装置と生体情報管理装置とを含んだシステムである。生体情報測定装置は複数の被験者の生体情報を測定し被験者ごとに記憶可能であって、被験者を指定するための指定手段と、被験者の生体情報を測定するための測定手段と、被験者と測定手段によって得られた測定値とを関連付けて記憶するための記憶手段と、記憶手段に記憶された測定値の送信の指示を受け付けるための受付手段と、記憶手段に記憶された測定値を生体情報管理装置に送信するための通信手段と、受付手段で記憶されている複数の被験者のうちの一人と指定されたユーザから自身に関連付けられた測定値の送信の指示を受け付けると、当該ユーザの測定値と、記憶手段に記憶されている複数の被験者のうちの当該ユーザ以外の被験者の測定値とを、それぞれ、関連付けられた被験者に対応した情報および当該生体情報測定装置に固有の情報と関連付けて通信手段で他の装置に一括して送信する処理を行なうための制御手段とを備える。生体情報管理装置は生体情報測定装置で測定された生体情報を管理するための生体情報管理装置であって、生体情報測定装置から、被験者に対応した情報としての生体情報測定装置における当該測定値の記憶領域を指定する情報および生体情報測定装置の固有情報と関連付けられた測定値を受信するための通信手段と、生体情報測定装置における記憶領域を指定する情報および生体情報測定装置の固有情報の組み合わせと記憶装置の記憶領域との対応関係を記憶するための記憶手段と、生体情報測定装置における記憶領域を指定する情報および生体情報測定装置の固有情報の組み合わせから特定された記憶装置の領域に測定値を格納するための制御手段とを備え、生体情報管理装置の制御手段は、生体情報測定装置から、異なる生体情報測定装置における記憶領域を指定する情報および生体情報測定装置の固有情報の組み合わせに関連付けられた複数の測定値を受信したときに、受信した複数の測定値のそれぞれを、当該組み合わせで特定された記憶装置の領域に格納する。
【００２３】
本発明のさらに他の局面に従うと、生体情報管理プログラムは、コンピュータに生体情報測定装置で測定された生体情報を管理するため処理を実行させるためのプログラムであって、生体情報測定装置から、生体情報測定装置における当該測定値の記憶領域を指定する情報および生体情報測定装置の固有情報と関連付けられた測定値を受信するステップと、生体情報測定装置における記憶領域を指定する情報および生体情報測定装置の固有情報の組み合わせから記憶装置の領域を特定するステップと、特定された記憶装置の領域に測定値を格納するステップとを実行させ、測定値を受信するステップにおいて、生体情報測定装置から、異なる生体情報測定装置における記憶領域を指定する情報および生体情報測定装置の固有情報の組み合わせに関連付けられた複数の測定値を受信したときに、格納するステップにおいては、受信した複数の測定値のそれぞれを、当該組み合わせで特定された記憶装置の領域に格納する。
【００２４】
本発明のさらに他の局面に従うと、生体情報管理方法は生体情報測定装置での測定値を記憶装置に記憶させて管理する方法であって、生体情報測定装置は複数の被験者の生体情報を測定し被験者ごとに記憶可能であって、生体情報測定装置において、記憶された測定値を送信するための指示を受け付けるステップと、生体情報測定装置に記憶されている複数の被験者のうちの一人と指定されたユーザから自身に関連付けられた測定値の送信の指示を受け付けると、当該ユーザの測定値と、生体情報測定装置に記憶されている複数の被験者のうちの当該ユーザ以外の被験者の測定値とを、それぞれ、関連付けられた被験者に対応した生体情報測定装置における記憶領域を指定する情報および当該生体情報測定装置に固有の情報と関連付けて、一括して送信するステップと、生体情報測定装置から送信された、異なる生体情報測定装置における記憶領域を指定する情報および生体情報測定装置の固有情報の組み合わせに関連付けられた複数の測定値のそれぞれについて、当該組み合わせから、記憶装置の領域を特定するステップと、送信された複数の測定値のそれぞれを当該組み合わせで特定された記憶装置の領域に格納するステップとを備える。
【発明の効果】
【００２５】
この発明によると、健康機器からのデータ転送のための操作を容易にすることができると共に、データ管理を適切に行なうことができる。
【図面の簡単な説明】
【００２６】
【図１】本実施の形態にかかる生体情報管理システムの構成の具体例、および当該生体情報システムに含まれる各装置の構成の具体例を示す図である。
【図２】健康機器での測定値の格納のされ方の具体例を示す図である。
【図３】生体情報管理システムに被験者に関する情報を登録するための処理の流れを示すフローチャートである。
【図４】ログイン画面の具体例を示す図である。
【図５】サーバに記憶されているユーザデータの具体例を示す図である。
【図６】生体情報管理システムでの測定値の転送処理の流れを示すフローチャートである。
【図７】データ転送を指示するための画面の具体例を示す図である。
【図８】転送された測定値が生体情報管理システムに登録されていない被験者のものであることを警告するための画面の具体例を示す図である。
【図９】サーバに格納された測定値を閲覧するときの画面の具体例を示す図である。
【図１０】所定期間、測定値が転送されていないことを通知するための画面の具体例を示す図である。
【発明を実施するための形態】
【００２７】
以下に、図面を参照しつつ、本発明の実施の形態について説明する。以下の説明では、同一の部品および構成要素には同一の符号を付してある。それらの名称および機能も同じである。
【００２８】
図１を参照して、本実施の形態にかかる生体情報管理システム（以下、システムと称する）は、生体情報測定装置である体重体組成計や血圧計などの健康機器１００と、健康機器１００と通信可能な通信装置３００と、通信装置３００と通信可能なサーバ５００とを含む。通信装置３００には、通信機能を備えた一般的なパーソナルコンピュータ（以下、ＰＣとも称する）や、携帯電話機などが該当する。または、セットトップボックスのような、専用の通信装置であってもよい。
【００２９】
健康機器１００と通信装置３００とは赤外線通信などの無線通信を行なってもよいし、専用の通信線を接続することで有線通信を行なってもよい。通信装置３００とサーバ５００とはインターネットを介した通信を行なってもよいし、赤外線通信などの無線通信を行なってもよいし、専用の通信線を接続することで有線通信を行なってもよい。ここでは、健康機器１００と通信装置３００とは無線通信を行ない、通信装置３００とサーバ５００とはインターネットを介した通信を行なうものとして説明する。
【００３０】
さらに図１を参照して、健康機器１００は、ＣＰＵ（Central Processing Unit）を含み、全体を制御するための制御部１０と、通信装置３００と通信するための通信部１１と、制御部１０で実行されるプログラムや測定値や当該健康機器１００固有の識別情報（以下、シリアルナンバと称する）などを記憶するためのメモリ１２と、操作ボタンなどの入力部１３と、表示部１４と、血圧値や体重や体組成成分比率などの生体情報を測定するための測定部１５とを含む。入力部１３には、測定ボタンの他、被験者を指定するためのボタンが含まれる。制御部１０で実行されるプログラムとしてメモリ１２に記憶されるプログラムには、測定値を送信する動作を実行させるための送信用プログラム１２１と、測定動作を実行させるための測定用プログラム１２２とが含まれる。
【００３１】
健康機器１００にて測定動作が行なわれるときには、制御部１０は、測定開始の操作に応じた入力部１３からの操作信号に従って測定用プログラム１２２を読み出し、その実行に従って測定部１５に対して制御信号を出力する。
【００３２】
測定部１５としては、健康機器１００が体重体組成計である場合には通常の体重体組成計に備えられる測定部、または血圧計である場合には通常の血圧計に備えられる測定部、などと同様のものを用いることができる。測定部１５は、制御部１０からの制御信号に従って測定動作を行ない、その結果を示す信号を制御部１０に返す。
【００３３】
制御部１０は測定用プログラム１２２に従って測定部１５からの信号を測定値に変換し、メモリ１２の所定領域に格納する。その際、制御部１０は、測定値に測定日時を特定する情報を関連付け、入力部１３からの被験者を選択する操作に基づいた操作信号より特定される被験者別に格納する。具体例としては、図２に示されるように、メモリ１２に予め登録された被験者に関連したメモリ領域が設定され、制御部１０は、被験者ごとに、測定値および測定日時を特定する情報を、対応するメモリ領域に格納する。図２では、被験者に関連したメモリ領域に固有の情報としてユーザメモリ番号が割り当てられている例が示されており、ユーザメモリ番号ごとに、対応した被験者の測定値および測定日時を特定する情報が格納されている例が示されている。さらに、図２に示されたように、測定値ごとに、後述する測定値を送信するための動作によって当該測定値が送信済か未送信かを示す送信フラグが付されていてもよい。図２の例では、送信済の測定値のフラグが立てられ（フラグ＝１）、未送信の測定値のフラグが倒されている（フラグ＝０）。
【００３４】
健康機器１００にて測定値を送信するための動作が行なわれるときには、制御部１０は送信用プログラム１２１を読み出して、その実行に従ってメモリ１２の所定領域から必要なデータを読み出し、通信部１１に渡して送信させる。測定値を送信するための動作については後述する。
【００３５】
通信装置３００は、ＣＰＵを含み、全体を制御するための制御部３０と、無線通信で健康機器１００と通信し、インターネットを介してサーバ５００と通信するための通信部３１と、制御部３０で実行されるプログラムなどを記憶するためのメモリ３２と、操作ボタンなどの入力部３３と、表示部３４とを含む。制御部３０で実行されるプログラムとしてメモリ３２に記憶されるプログラムには、測定値を転送する動作を実行させるための転送用プログラム３２１と、サーバ５００に格納された測定値を閲覧する動作を実行させるための閲覧用プログラム３２２とが含まれる。
【００３６】
サーバ５００は、ＣＰＵを含み、全体を制御するための制御部５０と、インターネットを介して通信装置３００と通信するための通信部５１と、制御部５０で実行されるプログラムなどを記憶するためのメモリ５２とを含む。制御部５０で実行されるプログラムとしてメモリ５２に記憶されるプログラムには、測定値を管理する動作を実行させるための管理用プログラム５２１と、格納された測定値を通信装置３００で閲覧させる動作を実行させるための閲覧用プログラム５２２とが含まれる。
【００３７】
サーバのメモリ５２には、さらに、健康機器１００から送信された測定値を記憶するための領域が含まれる。上記領域は、測定値に関連付けられたシリアルナンバとユーザメモリ番号との組み合わせに対して対応付けられている。測定値を受信すると、管理用プログラム５２１を実行する制御部５０によって該測定値を格納するための領域が特定される。以降の説明において、当該領域固有の識別情報をデータベースＩＤとも称する。
【００３８】
本システムにおいては、測定値の管理に先だって、図３のフローチャートに表わされる、当該システムに被験者に関する情報を登録するための処理が行なわれる。当該処理は、通信装置３００の入力部３３を操作することでメモリ３２に記憶されている図示しない管理用プログラムが制御部３０で実行されることで開始される。そのプログラムの実行に従って送信されるデータに応じて、サーバ５００の制御部５０は、メモリ５２に記憶されている管理用プログラム５２１を実行する。
【００３９】
図３を参照して、通信装置３００の制御部３０において図示しない管理用プログラムの実行が開始されると、ステップＳ１０１で表示部３４には図４に示されるような当該ユーザが被験者の一人であることを指定するためのログイン画面が表示され、被験者の識別情報（ユーザＩＤ）およびパスワードの入力を受け付ける。図４の画面において入力された情報は通信部３１からサーバ５００に送られ、サーバ５００の制御部５０において、後述するユーザデータと照合される。ユーザＩＤとパスワードとが後述するユーザデータに登録されているものと合致したらログイン成功とし、通信装置３００の制御部３０およびサーバ５００の制御部５０は以降の動作を実行する。
【００４０】
ログイン成功後の管理用プログラムにおいて登録処理の実行の指示を受け付けると、管理用プログラムは図示しない登録用プログラムに分岐する。該プログラムの実行に従って、ステップＳ１０３で制御部３０は、登録するユーザＩＤ、シリアルナンバ、およびユーザメモリ番号の入力を受け付ける。制御部３０は登録するユーザＩＤ等の情報を、図示しない入力用画面を表示部３４に表示させ、入力部３３からの操作信号を受信することで受け付けてもよいし、健康機器１００から送信されるこれら情報を受信することで受け付けてもよい。この場合、健康機器１００において登録用の操作がなされ、図示しない登録用プログラムに従ってこれら情報が通信装置３００に対して送信されるものとする。受け付けたこれら情報は、サーバ５００に送信される。
【００４１】
通信装置３００からユーザＩＤ等の情報を受信すると、ステップＳ１０５でサーバ５００の制御部５０は、メモリ５２に記憶されているユーザデータを更新して、登録処理を完了する。
【００４２】
図５を参照して、サーバ５００のメモリ５２には、ユーザデータとして、ユーザＩＤと、シリアルナンバ、ユーザメモリ番号、およびこれらに関連付けられたデータベースＩＤと、通知等の送信先としてのアドレスと、ログイン用のパスワードと、自身の測定値の閲覧を許可する被験者のユーザＩＤとが、被験者ごとに記憶されている。上記ステップＳ１０５でサーバ５００の制御部５０は、新たに受け付けた上記情報を新たな被験者に関する情報として図５のユーザデータに書き加えることで、新たな被験者を登録する。また、同様の方法で、すでに登録されているユーザデータを変更、削除することも可能である。
【００４３】
なお、図５に示されているように、同一ユーザＩＤに対して複数のシリアルナンバ、ユーザメモリ番号、およびこれらに関連付けられたデータベースＩＤの組み合わせが記憶されていてもよい。これは、同一被験者が複数の健康機器を用いて生体情報を測定し、いずれの健康機器での測定値もサーバ５００に送信する場合が想定される。
【００４４】
本システムにおいては、登録された被験者について、健康機器１００での測定値が所定操作によってサーバ５００に送信され、サーバ５００に格納される。その際の、それぞれの装置における転送処理の一例を図６を用いて説明する。図６のフローチャートに示される転送処理は、それぞれの制御部がメモリに格納されるプログラムを実行することによって実現される。図６の処理は、通信装置３００の表示部３４に表示された図４のログイン画面を用いてログインして被験者の一人であることを指定したユーザが、図７（Ａ）に示されたような転送を指示するための画面において通信装置３００に対してデータ転送の指示を入力することによって開始される。
【００４５】
図６を参照して、通信装置３００の制御部３０で実行されている図示しない管理用プログラムが転送用プログラム３２１に分岐して転送処理が開始されると、上記指示を受け付けることによって、ステップＳ２０１で健康機器１００に対して予め規定されている測定値の送信を要求する信号を出力する。
【００４６】
上記信号を通信部１１において受信すると、健康機器１００の制御部１０は送信用プログラム１２１を実行することによって、メモリ１２に記憶されている測定値のうち、未送信のものを抽出し、それぞれの測定値に、格納されていたメモリ領域を表わすユーザメモリ番号および当該健康機器１００のシリアルナンバを自動的に関連付けて、通信装置３００に送信する。健康機器１００からの測定値を受信した通信装置３００は、ステップＳ２０５でサーバ５００に転送する。
【００４７】
なお、図６の例では、健康機器１００からの測定値は通信装置３００を経由してサーバ５００に送信されるものとしているが、健康機器１００がサーバ５００と通信可能であり、健康機器１００に予めサーバ５００のアドレスが記憶されており、健康機器１００からサーバ５００に対して直接測定値が送信されてもよい。
【００４８】
さらに、図６の例では通信装置３００がデータ転送の指示を受け付けて、健康機器１００に対して送信要求を出しているが、健康機器１００の入力部１３にたとえば転送ボタンなどのデータ転送を指示するための入力部が含まれる場合、被験者を指定するためのボタンで指定された被験者による転送ボタンでの操作に基づいて転送処理が開始され、（通信装置３００からの送信要求を必要とせずに）当該操作による操作信号に応じて健康機器１００から測定値が送信されてもよい。または、転送処理は、制御部１０において転送ボタン等の転送のための操作を受け付けて開始されるのみならず、たとえば健康機器１００の図示しない記憶媒体読取部がＵＳＢ（Universal Serial Bus）などの記憶媒体の挿入を検出したときや、通常の測定動作が終了したタイミング、など、予め規定されたイベントやタイミングが検出されたことをトリガとして自動的に開始されてもよい。制御部１０におけるこれらの検出もまた制御部１０において送信要求を受け付けることに含まれるものとする。
【００４９】
また、図６の例では、図７（Ａ）の画面でのデータ転送の指示に応じて、指示した被験者であるユーザのみならず記憶されている複数の被験者のうちの他の被験者についての未送信の測定値が一括して転送される例が示されている。本システムにおいては、好ましくは、ログインしたユーザ（または被験者の一人として指定されたユーザ）からの一回の転送操作によって、被験者をそれぞれ指定することなく当該ユーザに加えて記憶されているすべての被験者についての未送信の測定値が一括してサーバ５００に転送される。このように記憶されているすべての被験者について一括して未送信の測定値が送信されることで、健康機器１００で複数の被験者が血圧値や体重などの生体情報を測定している場合に、被験者ごとのデータ転送の操作や、被験者を指定する操作や、転送する測定値を指定する操作などを行なう必要がなく、データ転送のための操作を格段に容易にすることができる。また、被験者ごと、測定値ごとにデータ転送の操作を行なう場合と比較すると、データ転送に要する通信量を抑えることができる。
【００５０】
他の例として、健康機器１００に複数の被験者についての測定値が記憶されている場合に、図７（Ｂ）のような画面を用いて、ログインしたユーザ以外の被験者のそれぞれについて、当該被験者についての未送信の測定値を一括して転送するか否かを指定してもよい。また、被験者ごとの測定値の転送か、記憶されているすべての被験者についての測定値の転送かが選択できてもよい。このときの通信装置３００からの転送要求には転送する被験者を指定する情報が含まれ、健康機器１００の制御部１０は、指定された被験者についての未送信の測定値を送信する。また、上述のように健康機器１００でデータ転送を指示する場合には、入力部１３に含まれる被験者を指定するためのボタンで転送する被験者を指定した後にたとえば転送ボタンを押すなどして転送を指示すればよい。
【００５１】
いずれの例であっても、健康機器１００では、操作者の操作によらずに自動的に、送信する測定値に当該測定値が格納されていたメモリ領域を表わすユーザメモリ番号および当該健康機器１００のシリアルナンバを関連付けるため、測定値ごとの被験者の指定を誤ることがなく、サーバに適切に格納させることができる。
【００５２】
健康機器１００からの測定値を通信部５１で受信すると、サーバ５００の制御部５０は管理用プログラム５２１を実行することによって、ステップＳ２０７で受信した測定値に関連付けられているユーザメモリ番号およびシリアルナンバに基づいてデータベースＩＤを特定する。ここでは、たとえば図５のユーザデータを走査することで対応付けられているデータベースＩＤを特定することができる。
【００５３】
このように、健康機器１００から測定値に被験者を特定する情報が関連付けられて送信されることで、サーバ５００側でその情報に基づいて測定値を分別して格納することが可能になり、サーバに適切に格納させることができる。また、データ転送の操作の際に、測定値ごとに被験者を指定する必要がなく、操作が容易になると共に、被験者の指定を誤ることもなく、サーバに適切に格納させることができる。
【００５４】
ユーザメモリ番号およびシリアルナンバに基づいてデータベースＩＤの特定に成功した場合（ステップＳ２０９でＹＥＳ）、送信された測定値はすでに登録されている被験者のものであるため、ステップＳ２１１で制御部５０は、メモリ５２の特定された領域に受信した測定値を測定日時を特定する情報と関連付けて格納する。
【００５５】
データベースＩＤの特定に成功しなかった場合には（ステップＳ２０９でＮＯ）、送信された測定値は登録されている被験者のものではないため、制御部５０はステップＳ２１１の格納動作を行なわない。
【００５６】
このとき、その旨を通信装置３００に送信することによって通信装置３００に図８のような、未登録の被験者であることを警告する画面が表示されてもよい。さらには、図８に表わされたように、該警告画面に登録処理の開始を指示するためのボタン等を設け、当該警告の後、当該未登録の被験者を登録するための処理の開始をそのまま受け付けてもよい。
【００５７】
測定値を転送し、サーバに格納する転送処理は、以上で終了してもよい。しかしながら、好ましくは、測定値を格納したサーバ５００からは、ステップＳ２１３でその旨の通知が通信装置３００に対して送信される。この通知を受けた通信装置３００では、ステップＳ２１５で健康機器１００に対してその旨を示す信号が出力される。その信号を受信した健康機器１００において、ステップＳ２１７で制御部１０は、メモリ１２に記憶されている測定値のうち、送信した測定値についての送信フラグを、送信済を表わすように立てる。
【００５８】
なお、ここでも、測定値の送信と同様に、サーバ５００から健康機器１００に対して直接、測定値の格納が完了した旨の信号が送信されてもよい。
【００５９】
また、上の例では、健康機器１００のメモリ１２に測定値がすべて記憶され、それぞれに送信、未送信を示す送信フラグが付されているものとしているが、送信し、格納が完了した旨の信号を受信することで、該当する測定値をメモリ１２から削除してもよいし、所定のメモリ領域に移動し、所定期間経過後に削除するようにしてもよい。
【００６０】
もちろん、上記ステップＳ２０３で送信が完了した時点で制御部１０が、送信フラグを送信済を表わすように立てる、またはメモリ１２から削除するようにしてもよいが、このように、格納の完了を通知することで、健康機器１００において、サーバ５００への格納が完了したことを確認した上で送信完了とすることができ、測定値の管理を確実なものとすることができる。
【００６１】
このように、健康機器１００において、測定値の送信、未送信が区分されることで、すでに送信された測定値もメモリ１２に記憶されている場合、測定値をサーバ５００に送信する際に記憶されている測定値のうちから送信する測定値を指定する操作をする必要がなく、データ転送のための操作を容易にすることができる。
【００６２】
上の説明および画面例では、通信装置３００が携帯電話機である例が示されている。携帯電話機である場合、メモリ３２に格納されている転送用プログラム３２１等は、予め格納されているものであってもよいし、操作時に所定のサーバ（たとえばサーバ５００）にアクセスしてダウンロードするものであってもよいし、所定のウェブページに接続することで当該ウェブページを格納したサーバのプログラムを実行するものであってもよい。これは、通信装置３００がＰＣ等の他の機器であっても同様である。
【００６３】
サーバ５００に格納された測定値は、サーバ５００の機能や、他の装置に送信し当該他の装置で処理されることによって、様々に利用されてもよい。一例として、サーバ５００に格納された測定値を閲覧する処理が挙げられる。格納された測定値の閲覧はサーバ５００自身やサーバ５００と通信可能な他の装置において可能である。以下の説明では、通信装置３００で行なうものとする。
【００６４】
この場合、閲覧しようとするユーザは、図示しない管理用プログラムの実行により表示部３４に表示された図４のログイン画面からログインする。制御部３０は、サーバ５００においてログイン成功後の管理用プログラムにおいて閲覧処理の実行の指示を受け付けると、管理用プログラムは閲覧用プログラム３２２に分岐する。該プログラムの実行に従って制御部３０は、サーバ５００に対して閲覧しようとするユーザの情報を渡すと共に、閲覧要求を行なう。
【００６５】
閲覧要求を受け付けたサーバ５００では、制御部５０が閲覧用プログラム５２２を実行して、該プログラムに従ってユーザデータを走査してログインしたユーザに対して閲覧許可がされている被験者を特定する。特定された被験者の情報は通信装置３００に送信される。
【００６６】
通信装置３００では、受信した被験者の情報に基づいて、図９に示されるように、閲覧可能な被験者が選択可能に表示部３４に提示される。なお、ここでは、被験者の選択に加えて、閲覧したい測定日時の指定、または測定期間の指定を受け付けるようにしてもよい。図９の画面において閲覧したい被験者の指定を受け付けると、制御部３０はサーバ５００に対してその被験者の情報を渡すと共に、閲覧要求を行なう。その際、測定日時や測定期間の情報も渡すようにしてもよい。
【００６７】
閲覧要求を受け付けたサーバ５００では、制御部５０がユーザデータを走査して当該被験者の測定値が格納されているメモリ５２の領域を特定し、そこに格納されている測定値を通信装置３００に対して送信する。測定日時、または測定期間が指定されている場合には、制御部５０は関連付けられている測定日時を走査して、該当する測定値を抽出した上で通信装置３００に対して送信する。通信装置３００で受信した測定値が表示されることによって、ユーザは指定した被験者の測定値が閲覧可能となる。
【００６８】
このような閲覧処理に替えて、サーバ５００が通信装置３００から閲覧したい被験者を指定する情報を受信してもよい。この場合、制御部５０は、ユーザデータを走査して当該被験者の測定値が閲覧しようとするユーザ（ログインしたユーザ）に閲覧を許可されているか否かを判定する。その結果、閲覧が許可されている場合には該当する測定値を抽出して通信装置３００に対して送信し、閲覧が許可されていない場合には、その旨を通信装置３００に対して送信する。
【００６９】
本システムでこのような処理がなされることで、サーバ５００に格納された測定値を容易な操作で閲覧できると共に、ユーザデータに予め閲覧を許可するユーザが指定されることで、許可しないユーザに対して閲覧を不可とすることができて、操作性と個人情報の保護との両立を図ることができる。
【００７０】
また、図５に表わされたように、サーバ５００に被験者とデータベースＩＤとの対応がユーザデータとして記憶されており、当該ユーザデータにおいて、同一被験者について複数のデータベースＩＤが対応付けられてもよいものとされている。そのため、同一被験者が複数の健康機器を用いて生体情報を測定している場合であっても、測定に用いた健康機器に関わらず、指定された被験者の測定値を表示させることが可能になる。
【００７１】
サーバ５００に格納された測定値の利用の他の例として、測定値の送信を促す処理が挙げられる。この処理は、所定期間ごと、通信装置３００から問合せを受けたタイミング、健康機器１００からの測定値が送信されたタイミング、などに、サーバ５００において行なわれるものとする。
【００７２】
サーバ５００は所定のタイミングに、ユーザデータに登録されているすべての被験者について、測定日時の最新のものから現時点までの期間を算出し、予め規定されているしきい値と比較する。測定日時の最新から現時点までの期間が上記しきい値よりも長いものがある場合、対応した被験者についてユーザデータに記憶されているアドレスに対して、少なくともその旨を通知する。好ましくは、当該被験者について記憶されている測定値の最新の測定日時を含んだ通知を行なう。これにより、当該被験者の通信機器に図１０に示される通知画面を表示させることができる。より好ましくは、当該被験者の通信機器が通信装置３００である場合、上記通知画面には図１０に示されるようにデータ転送の指示を受け付けるためのボタン等を設け、当該通知の後、対応した被験者の測定値を転送するための処理の開始をそのまま受け付けてもよい。
【００７３】
このような処理が行なわれることで、測定値のサーバ５００への送信または健康機器１００での測定およびサーバ５００への送信を促すことができる。さらに、図５に表わされたように、サーバ５００に被験者とデータベースＩＤとの対応がユーザデータとして記憶されており、当該ユーザデータにおいて、同一被験者について複数のデータベースＩＤが対応付けられてもよいものとされているため、同一被験者が複数の健康機器を用いて生体情報を測定している場合であっても、測定に用いた健康機器に関わらず、指定された被験者についての測定値の転送状態を確認することが可能になる。
【００７４】
以上の説明では、図１に示されるように、本システムが健康機器１００と通信装置３００とサーバ５００とを含むものとされているが、通信装置３００を含まず、健康機器１００とサーバ５００との間で直接なされるものであってもよい。この場合、通信装置３００の機能がすべて健康機器１００に含まれてもよいし、通信装置３００の機能がすべてサーバ５００に含まれてもよい。または、通信装置３００の機能の一部が健康機器１００に含まれ、他の機能がサーバ５００に含まれてもよい。さらには、健康機器１００自身がサーバ５００として機能し、自身の測定値のみならず、他の健康機器の測定値をも記憶するようにしてもよい。
【００７５】
さらに、上述の本システムにおける測定値の送信処理や閲覧処理などをコンピュータに実行させるための管理用プログラムや閲覧用プログラム等を提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７６】
なお、上記プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも上記プログラムに含まれ得る。
【００７７】
また、上記プログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも上記プログラムに含まれ得る。
【００７８】
提供されるプログラム製品は、ハードディスクなどのプログラム格納部にインストールされて実行される。なお、プログラム製品は、プログラム自体と、プログラムが記録された記録媒体とを含む。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
１０  制御部、１１  通信部、１２  メモリ、１３  入力部、１４  表示部、１５  測定部、３０  制御部、３１  通信部、３２  メモリ、３３  入力部、３４  表示部、５０  制御部、５１  通信部、５２  メモリ、１００  健康機器、１２１  送信用プログラム、１２２  測定用プログラム、３００  通信装置、３２１  転送用プログラム、３２２  閲覧用プログラム、５００  サーバ、５２１  管理用プログラム、５２２  閲覧用プログラム。
【図１】
0005569051.tif 000002
【図２】
0005569051.tif 000003
【図３】
0005569051.tif 000004
【図４】
0005569051.tif 000005
【図５】
0005569051.tif 000006
【図６】
0005569051.tif 000007
【図７】
0005569051.tif 000008
【図８】
0005569051.tif 000009
【図９】
0005569051.tif 000010
【図１０】
0005569051.tif 000011